(57)【特許請求の範囲】
【請求項１】
スタッドボルト式のバッテリポストに取り付けられるバッテリポスト用アダプタにおいて、
前記バッテリポストの雄ネジに螺合する雌ネジを内周に有した筒状のバッテリターミナル取付部の上端に、アダプタ締め付け用の工具の嵌合部を兼ねたバッテリターミナル抜け止め用の鍔部を設けたことを特徴とするバッテリポスト用アダプタ。
【請求項２】
請求項１記載のバッテリポスト用アダプタであって、
前記工具の嵌合部を兼ねた鍔部を、インパクトレンチの嵌まる六角形に形成したことを特徴とするバッテリポスト用アダプタ。
【発明の詳細な説明】
【０００１】
【発明の属する技術分野】
本発明は、スタッドボルト式のバッテリポストに取り付けて、バッテリターミナルの圧着を確実且つ容易にするためのバッテリポスト用アダプタに関する。
【０００２】
【従来の技術】
従来、スタッドボルト式のバッテリポストにバッテリポスト用アダプタを取り付けて、バッテリターミナルの圧着を確実且つ容易にすることが行われている。その場合のバッテリポスト用アダプタとして、図６に示すものが知られている。
【０００３】
図６において、１はバッテリポスト、２はバッテリポスト用アダプタである。このバッテリポスト用アダプタ２は、バッテリポスト１の雄ネジ１ａに螺合する雌ネジ２ｂを内周に有した筒状のバッテリターミナル取付部２ａの上端に、バッテリターミナルの抜け止め用の円形の鍔部３を設けると共に、バッテリターミナル取付部２ａの下端に、アダプタ締め付け用の工具嵌合部としての六角部４を設けたものである。
【０００４】
【発明が解決しようとする課題】
この場合、バッテリポスト用アダプタ２の全高Ｈは、バッテリターミナル取付部２ａと鍔部３と六角部４の３つの部分の高さを合わせた寸法が必要となる。
【０００５】
また、径方向の最大寸法は、図７に示すように、インパクトレンチ５でバッテリポスト用アダプタ２を取り付ける関係上、鍔部３の径Ｄよりも六角部４の２面幅の寸法Ｂを大きくするという条件の下で、六角部４の頂点間寸法Ｆによって決めなくてはならなかった。
【０００６】
従って、バッテリポスト用アダプタ２が高さ方向にも径方向にも大きくなり、それに取り付けるバッテリターミナルも大型化してしまうという問題があった。
【０００７】
本発明は、上記事情を考慮し、自身及びそれに取り付けるバッテリターミナルのコンパクト化を図れるようにしたバッテリポスト用アダプタを提供することを目的とする。
【０００８】
【課題を解決するための手段】
請求項１の発明は、スタッドボルト式のバッテリポストに取り付けられるバッテリポスト用アダプタにおいて、前記バッテリポストの雄ネジに螺合する雌ネジを内周に有した筒状のバッテリターミナル取付部の上端に、アダプタ締め付け用の工具の嵌合部を兼ねたバッテリターミナル抜け止め用の鍔部を設けたことを特徴とする。
【０００９】
このバッテリポスト用アダプタでは、バッテリターミナル取付部の上端に、工具の嵌合部とバッテリターミナルの抜け止め部を兼ねた鍔部を設けたので、要素の省略による高さ寸法の減少が図れる。また、工具を嵌合する部分が上端にあることにより、その部分の最小幅を、バッテリターミナル取付部の径に揃えてもよくなるので、最大径を小さくできる。
【００１０】
請求項２の発明は、請求項１記載のバッテリポスト用アダプタであって、前記工具の嵌合部を兼ねた鍔部を、インパクトレンチの嵌まる六角形に形成したことを特徴とする。
【００１１】
このバッテリポスト用アダプタでは、鍔部を六角形にしたので、インパクトレンチにより簡単にバッテリポストに締着することができる。
【００１２】
【発明の実施の形態】
以下、本発明の実施形態を図面に基づいて説明する。
【００１３】
図１は実施形態のバッテリポスト用アダプタとバッテリターミナルの関係を示す分解斜視図、図２（ａ），（ｂ）はバッテリターミナルをバッテリポスト用アダプタに単にセットした状態を示す平面図及び側断面図、図３（ａ），（ｂ）は図２の状態から操作レバーを回動させてバッテリターミナルのポスト嵌合部をバッテリポスト用アダプタに対して圧着させた状態を示す平面図及び側断面図、図４は図３と同じ状態を示す斜視図、図５は図４のＶ−Ｖ矢視断面図である。尚、図２〜図５では、電線側端子の図示を省略してある。
【００１４】
このバッテリターミナル１００は、スタッドボルト式のバッテリポスト１に取り付けるためのものであり、バッテリポスト１には、バッテリターミナル１００を取り付けるための円筒状のバッテリポスト用アダプタ１２が装着されている。
【００１５】
バッテリポスト用アダプタ１２は、前記バッテリポスト１の雄ネジ１ａに螺合する雌ネジ１２ｂを内周に有した筒状のバッテリターミナル取付部１２ａと、その上端に一体に形成された六角部（鍔部）１３とを有している。
【００１６】
六角部１３は、アダプタ締め付け用の工具（インパクトレンチ等）を嵌合する部分であり、この部分は、バッテリターミナル抜け止め用の鍔部を兼ねている。従って、六角部１３にインパクトレンチを嵌合することで、バッテリポスト用アダプタ１２をバッテリポスト１に締着することができる。また、バッテリターミナル１００をバッテリポスト用アダプタ１２に圧着させた場合には、六角部１３の鍔部としての機能により、バッテリターミナル１００を抜けないように止めることができる。そのために、六角部１３の二面幅Ｂ１は、最低でも筒状のバッテリターミナル取付部１２ａの外径よりも大きくなっている。
【００１７】
ここでは、バッテリポスト用アダプタ１２を極力小型化するために、六角部１３の二面幅Ｂ１は、筒状のバッテリターミナル取付部１２ａの外径と同じか、それよりも僅かに大きい程度の寸法に設定されている。従って、六角部１３の頂点間寸法Ｆ１により最大径が最小値に定められている。また、六角部１３が鍔部を兼ねていることから、高さ方向の寸法Ｈのコンパクト化も図られている。
【００１８】
一方、バッテリポスト用アダプタ１２に電気的に接続されるバッテリターミナル１００は、一枚の金属板をプレスで折り曲げて製作したターミナル本体５０と、同じく一枚の金属板をプレスで折り曲げて製作した操作レバー６０と、回動軸７０と、スタッドボルト８０とから構成されている。
【００１９】
スタッドボルト８０は、バッテリケーブルＷの端末に取り付けられたＬＡ端子２０を、座金２３とナット２５を用いて、バッテリターミナル１００に取り付けられるようにするために設けられている。
【００２０】
ターミナル本体５０は、一端側にバッテリポスト用アダプタ１２に外嵌する湾曲形状のポスト嵌合部５１を備えると共に、他端側にバッテリケーブルＷの端末に取り付けたＬＡ端子２０を接続するためのスタッドボルト８０の取付座５３を備えている。
【００２１】
このターミナル本体５０は、一枚の帯状の金属板を厚さ方向にＵ字状に折り曲げて前記ポスト嵌合部５１を形成すると共に、Ｕ字状に折り曲げた金属板の両端を操作レバー６０を支持する２枚の側板５２，５２として、該両側板５２，５２の延長部分の側縁に略直角に延設した矩形片５５ａ，５５ｂをそれぞれ内側に折り曲げて互いに重合することで、前記スタッドボルトの取付座５３を形成し、更に、該取付座５３にスタッドボルトの貫通孔５６を形成することで、一体のプレス製品として構成されている。
【００２２】
この場合、２枚の側板５２，５２は、Ｕ字状のポスト嵌合部５１の両端の延長方向に平行に延びており、両側板５２，５２間の間隔は、ポスト嵌合部５１の径と等しく設定されている。
【００２３】
そして、ポスト嵌合部５１とスタッドボルト取付座５３を連絡する２枚の側板５２，５２の間に、操作レバー６０の基部が挿入されている。
【００２４】
操作レバー６０は、略矩形の天板６１と、天板６１の前端両側縁に連設された一対の略円形の側板６２，６２と、天板６１の前端に延設された湾曲状の板バネ６５とを備えている。
【００２５】
天板６１の中央部には、操作レバー６０をスタッドボルト取付座５３の上に倒したとき、後述するスタッドボルト８０に締結したナット２５との干渉を避けるための貫通孔６４が形成されている。また、天板６１の左右両側縁には、補強のために下方に折れ曲がったリブ６３，６３が設けられている。
【００２６】
側板６２，６２は、ターミナル本体５０の両側板５２，５２の間に嵌まる幅に形成されており、これらの側板６２，６２に貫通させた回動軸７０の両端を、ターミナル本体５０の両側板５２，５２の軸孔５４に支持することで、操作レバー６０が、上下方向に回動自在にターミナル本体５０に取り付けられている。
【００２７】
なお、回動軸７０は、鍔状の頭部７１から操作レバー６０の側板６２，６２を貫通する胴部７２を延ばし、その先端に細径軸部７３を形成したもので、先端の細径軸部７３を片方の側板５２の軸孔５４に固着することで、抜けないように止められている。
【００２８】
天板６１の前端に延設された板バネ（弾性押圧手段）６５は、略円弧状の輪郭に湾曲させられることで、バッテリポスト用アダプタ１２の周面に弾性的に押圧するカム部６６を構成している。このカム部６６は、図２（ｂ），図３（ｂ）に示すように、回動軸７０の中心から、その外周面（カム面）までの距離（半径）を滑らかに変化させたもので、図２（ｂ）に示すように、操作レバー６０を起立させた状態では、最小径部がポスト嵌合部５１側に向き、図３（ｂ）に示すように、操作レバー６０を９０度スタッドボルト取付座５３側に倒した状態では、最大径部がポスト嵌合部５１側に向くように、その曲面（カム面）のカーブが設定されている。
【００２９】
そして、図２（ｂ）に示すように、最大径部における半径Ｒ２が、ポスト嵌合部５１をバッテリポスト用アダプタ１２に嵌合したときの回動軸７０の中心からバッテリポスト用アダプタ１２の外周までの最大距離Ｒ１よりも大きく設定され、図３（ｂ）に示すように操作レバー６０を倒して、半径Ｒ２の最大径部でバッテリポスト用アダプタ１２の外周面を適正に押圧したとき、カム部６６を構成する板バネ６５に所定の変形代δ２（＝ラップ代）が生じるようになっている。尚、図３（ｂ）は、変形代δ２の存在を示すために、板バネ６５を変形していない状態で示してある。
【００３０】
板バネ６５は、カム部６６の周面に沿って配設されており、板バネ６５の周方向の基端部６５ａが天板６１とつながっていることで固定支点として支持され、Ｔ字形に形成された先端部６５ｂが側板６２に単に係止されていることで、回転支点として支持されている。そして、板バネ６５の周方向（長さ方向）の中心位置が最大径部となるように、カム部６６の輪郭が定められている。尚、板バネ６５は、側板６２，６２と切り離されており、側板６２，６２に拘束されずに自由に撓み変形できるようになっている。
【００３１】
また、スタッドボルト８０は、スタッドボルト取付座５３に下面側から上に向けて差し込まれている。スタッドボルト８０は、矩形板状の頭部８１と、ネジ軸部８２とを備えており、ネジ軸部８２の先端８３が、ＬＡ端子２０の丸孔２１やナット２５を嵌合し易くするため若干細径に形成されている。
【００３２】
そして、このように下から上に向けて挿入された上で、スタッドボルト８０の矩形の頭部８１が、スタッドボルト取付座５３の下側の側板５２，５２間の空間に嵌まって回り止めされている。また、その状態で、取付座５３を構成する矩形板５５ｂに形成した爪部５８を折り曲げることにより、スタッドボルト８０の頭部８１が係止されており、それにより、スタッドボルト８０が下方へ抜け落ちないように止められている。
【００３３】
次に作用を説明する。
【００３４】
このバッテリターミナル１００にバッテリケーブルＷを接続するには、図１に示すように、ターミナル本体５０の端部に上向きに突き出したスタッドボルト８０のネジ軸部８２に、バッテリケーブルＷの端末に取り付けたＬＡ端子２０の丸孔２１を嵌め込み、座金２３を介してナット２５をスタッドボルト８０のネジ軸部８２に締結することで行う。
【００３５】
図２に示すように操作レバー６０が起立した状態では、カム部６６の最小径部がポスト嵌合部５１側に向いているので、ポスト嵌合部５１の口径が大きく確保されている。従って、容易にバッテリターミナル１００のポスト嵌合部５１を、バッテリポスト用アダプタ１２に外嵌させることができる。
【００３６】
ポスト嵌合部５１をバッテリポスト用アダプタ１２に外嵌させたら、この状態で操作レバー６０を９０度回動させ、図３〜図５に示すように、スタッドボルト取付座５３の上に倒す。操作レバー６０を倒すと、操作レバー６０のカム部６６の最大径部がバッテリポスト用アダプタ１２の外周面に押圧接触する。そして、その押圧反力で、ポスト嵌合部５１の内周面がバッテリポスト用アダプタ１２のバッテリターミナル取付部１２ａの外周に圧着し、バッテリターミナル１００とバッテリポスト１の電気的及び機械的な接続が達成される。この状態で、バッテリポスト用アダプタ１２の上端には鍔部を兼ねた六角部１３があるので、バッテリターミナル１００が抜けることはない。
【００３７】
また、操作レバー６０の天板６１にはナット２５との干渉を避けるための貫通孔６４があるので、図４に示すように、操作レバー６０は、スタッドボルト取付座５３の上に重なる位置まで倒し込むことができ、圧着完了状態において、バッテリターミナル１００を極力コンパクトな形態になすことができる。
【００３８】
この状態から、バッテリターミナル１００を取り外す場合には、操作レバー６０を図２の状態まで起立させる。そうすると、カム部６６による押圧が解除されて、ポスト嵌合部５１の口径が広がり、バッテリターミナル１００を簡単にバッテリポスト用アダプタ１２から取り外すことができる。
【００３９】
また、このバッテリターミナル１００によれば、次のような種々の効果を得ることができる。
【００４０】
まず、このバッテリターミナル１００では、カム部６６を板バネ６５によって構成しているので、カム部６６をバッテリポスト用アダプタ１２に押圧させた際のラップ代δ２を、板バネ６５の弾性変形によって吸収することができる。
【００４１】
従って、操作レバー６０を回動操作する際の力が小さくてすむ上、無理な力がバッテリポスト用アダプタ１２の周面やバッテリターミナル１００に加わらないようにすることができる。その結果、バッテリポスト用アダプタ１２やバッテリターミナル１００の変形を防止することができる。また、弾性力によってカム部６６のバッテリポスト用アダプタ１２に対する押圧接触力が決まるので、接触荷重が安定し、接続信頼性が向上する。
【００４２】
また、カム部６６をバッテリポスト用アダプタ１２に弾性接触させるための手段として、他の部位にバネを取り付けることもできるが、上記のバッテリターミナル１００では、カム部６６自体を板バネ６５で構成しているので、構成を簡単にすることができる。
【００４３】
しかも、カム部６６を構成する板バネ６５の片端（先端部６５ｂ）を回転支点により支持しているので、板バネ６５が一層曲げ変形しやすくなり、バッテリポスト用アダプタ１２に対する良好な弾性接触作用を果たすことができる。
【００４４】
また、このバッテリターミナル１００では、ターミナル本体５０を構成する金属板を、帯板の側縁に矩形片５５ａ，５５ｂを形成したコ字形の展開形状にすることができる。そして、矩形片５５ａ，５５ｂを両側から内側に折り曲げて重合させることで、スタッドボルトの取付座５３を構成しているので、十分な強度を保持しながら矩形片５５ａ，５５ｂの突出長さを短く設定することができる。従って、展開形状コ字形の金属板の寸法を小さくすることができ、板取り寸法の縮小により、歩留まりの向上が図れる。
【００４５】
また、ターミナル本体５０において、スタッドボルトの取付座５３とポスト嵌合部５１をつなぐ部分が、ポスト嵌合部５１と同じ幅の２枚の縦長の側板５２，５２によって構成されているので、その部分の断面二次モーメントと断面係数が増加し、上下方向の曲げ剛性や左右方向の曲げ剛性が高まり、高い強度のバッテリターミナルとなる。
【００４６】
【発明の効果】
以上説明したように、請求項１の発明によれば、バッテリターミナル取付部の上端に、工具嵌合部としての機能とバッテリターミナル抜け止め部としての機能を果たす鍔部を設けたので、従来のように工具嵌合部としての六角部とバッテリターミナル抜け止め部としての鍔部を別々に設ける場合と比べて、要素の省略による高さ寸法の減少が図れる。また、工具嵌合部分が上端にあることにより、その部分の最小幅を、バッテリターミナル取付部の径に揃えてもよくなるので、最大径を小さくできる。その結果、バッテリポスト用アダプタの小型化を図ることができ、それに伴いバッテリターミナルのコンパクト化も実現可能になる。
【００４７】
請求項２の発明によれば、工具嵌合部としての機能とバッテリターミナル抜け止め部としての機能を果たす鍔部を六角形にしたので、インパクトレンチによって簡単にバッテリポストに締着することができる。
【図面の簡単な説明】
【図１】本発明の実施形態のバッテリポスト用アダプタに対してバッテリターミナルを取り付ける場合の例を示す分解斜視図である。
【図２】（ａ），（ｂ）は前記バッテリターミナルをバッテリポスト用アダプタに単にセットした状態を示す平面図及び側断面図である。
【図３】（ａ），（ｂ）は前記バッテリターミナルの操作レバーを回動させてポスト嵌合部をバッテリポスト用アダプタに対して圧着させた状態を示す平面図及び側断面図である。
【図４】図３と同じ状態を示す斜視図である。
【図５】図４のＶ−Ｖ矢視断面図である。
【図６】従来のバッテリポスト用アダプタの一例を示す斜視図である。
【図７】従来のバッテリポスト用アダプタをインパクトレンチでバッテリポストに締着している状態を示す側断面図である。
【符号の説明】
１  バッテリポスト
１ａ  雄ネジ
１２  バッテリポスト用アダプタ
１２ａ  バッテリターミナル取付部
１２ｂ  雌ネジ
１３  六角部（鍔部）
【図１】
0003732718.tif 000002
【図２】
0003732718.tif 000003
【図３】
0003732718.tif 000004
【図４】
0003732718.tif 000005
【図５】
0003732718.tif 000006
【図６】
0003732718.tif 000007
【図７】
0003732718.tif 000008